(57)【要約】【課題】動作中にユーザーの表示不要な画面表示を消して、消費電力を削減することができる技術を提供する。【解決手段】画面非表示設定テーブル１２１には、ユーザーによって指定された表示が不要な画面について、操作パネル１１に画面を表示しないようにする非表示設定が記憶されている。ユーザーが画像形成装置１００にログインすると、制御部１８は、画面非表示設定テーブル１２１を参照して、ログインユーザーの非表示設定を取得して、ユーザーに指定された表示不要な画面を非表示にする。【選択図】図１
2015191242.tif 000002
【特許請求の範囲】
【請求項１】
表示部を備えた電子機器であって、
表示不要な画面の設定を受け付ける画面非表示設定部を備え、
前記表示部は、動作中に前記画面非表示設定部で設定された前記表示不要な画面を非表示にする
ことを特徴とする電子機器。
【請求項２】
前記画面非表示設定部は、ユーザー毎に前記表示不要な画面の設定を受け付け、
前記表示部は、ログインした前記ユーザーの前記表示不要な画面を非表示にする
ことを特徴とする請求項１に記載の電子機器。
【請求項３】
前記表示部は、前記表示不要な画面として画像形成状況を示す進捗画面を非表示にする
ことを特徴とする請求項１又は２に記載の電子機器。
【請求項４】
前記表示部は、前記表示不要な画面として機能の設定画面を非表示にする
ことを特徴とする請求項１から３までのいずれか１項に記載の電子機器。
【請求項５】
原稿を連続して読み取る原稿読取部を備え、
前記表示部は、前記設定画面が非表示に設定されている場合、前記原稿読取部により各原稿の読み取りが完了するたびに前記設定画面を表示し、次の原稿の読み取りが開始されると、前記設定画面を非表示にする
ことを特徴とする請求項４に記載の電子機器。
【請求項６】
前記表示部は、前記表示不要な画面を非表示にしている場合に、表示面がタッチされたことを検出すると、非表示にしていた前記表示不要な画面を表示する
ことを特徴とする請求項１から５までのいずれか１項に記載の電子機器。
【請求項７】
前記表示部は、前記表示不要な画面を非表示にしている場合に、表示面がタッチされたことを検出すると、非表示にしていた前記表示不要な画面を表示し、前記機能の設定画面に対応する設定に基づいて動作が開始されると、前記設定画面を非表示にする
ことを特徴とする請求項４に記載の電子機器。
【請求項８】
表示部を備えた電子機器に、
表示不要な画面の設定を受け付ける画面非表示設定ステップと、
動作中に前記画面非表示設定ステップで設定された前記表示不要な画面を非表示にする表示ステップと
を実行させるための表示制御プログラム。
【発明の詳細な説明】
【技術分野】
【０００１】
本発明は、表示部の表示を消して消費電力を削減する電子機器及び表示制御プログラムに関する。
【背景技術】
【０００２】
従来、画像形成装置では、タッチパネルを設けたものがあり、例えばコピー前はコピー設定を受け付けるために、コピー中は進捗状況を表示するために、画面表示を行っている。一方で、近年、環境問題等への影響から消費電力の削減が求められており、一定時間動作しなかった場合には、省エネモードに移行する画像形成装置が開示されている（例えば、特許文献１を参照）。省エネモードでは、内部デバイスへの通電が停止され、タッチパネルの画面表示を消すことなどが行われる。
【先行技術文献】
【特許文献】
【０００３】
【特許文献１】特開2010-160550号公報
【発明の概要】
【発明が解決しようとする課題】
【０００４】
しかしながら、従来の技術では、画像形成装置が一定時間動作しなかった場合でなければ画面表示が消されず、動作中の場合には、画面表示が不要であっても消すことができないという問題があった。例えば、ユーザーによっては、デフォルト設定のままコピーを行ったり、コピー中の進捗状況を確認しなかったりする場合があり、画面表示が不要である場合があった。
【０００５】
本発明は上記課題に鑑みてなされたものであり、上記課題を解決することができる技術を提供することを目的とする。
【課題を解決するための手段】
【０００６】
本発明の電子機器は、表示部を備えた電子機器であって、表示不要な画面の設定を受け付ける画面非表示設定部を備え、前記表示部は、動作中に前記画面非表示設定部で設定された前記表示不要な画面を非表示にすることを特徴とする。
また、前記画面非表示設定部は、ユーザー毎に前記表示不要な画面の設定を受け付け、前記表示部は、ログインした前記ユーザーの前記表示不要な画面を非表示にしてもよい。
また、前記表示部は、前記表示不要な画面として画像形成状況を示す進捗画面を非表示にしてもよい。
また、前記表示部は、前記表示不要な画面として機能の設定画面を非表示にしてもよい。
また、原稿を連続して読み取る原稿読取部を備え、前記表示部は、前記設定画面が非表示に設定されている場合、前記原稿読取部により各原稿の読み取りが完了するたびに前記設定画面を表示し、次の原稿の読み取りが開始されると、前記設定画面を非表示にしてもよい。
また、前記表示部は、前記表示不要な画面を非表示にしている場合に、表示面がタッチされたことを検出すると、非表示にしていた前記表示不要な画面を表示してもよい。
また、前記表示部は、前記表示不要な画面を非表示にしている場合に、表示面がタッチされたことを検出すると、非表示にしていた前記表示不要な画面を表示し、前記機能の設定画面に対応する設定に基づいて前記機能に対応する動作が開始されると、前記設定画面を非表示にしてもよい。
本発明の表示制御プログラムは、表示部を備えた電子機器に、表示不要な画面の設定を受け付ける画面非表示設定ステップと、動作中に前記画面非表示設定ステップで設定された前記表示不要な画面を非表示にする表示ステップとを実行させることを特徴とする。
【発明の効果】
【０００７】
本発明によれば、動作中にユーザーの表示不要な画面表示を消して、消費電力を削減することができる技術を提供できる。
【図面の簡単な説明】
【０００８】
【図１】本発明に係る実施形態の画像形成装置の構成を示すブロック図である。
【図２】図１に示す操作パネルの平面図である。
【図３】ユーザーの表示不要な画面の非表示設定を行う画面非表示設定画面例である。
【図４】図１に示す画像形成装置の表示制御処理の流れを示すフローチャートである。
【発明を実施するための形態】
【０００９】
以下、図を参照して本発明の実施形態を詳細に説明する。なお、以下の実施形態において、同様の機能を示す構成には、同一の符号を付してある。
【００１０】
画像形成装置１００は、電子機器であり、図１に示すように、操作パネル１１と記憶部１２と原稿読取部１３と画像処理部１４と印刷部１５と通信部１６とファクシミリ部１７と制御部１８とを備えている。
【００１１】
操作パネル１１は、図２に示すように、表示部１１１と操作ボタン１１２とを備えている。表示部１１１は、画像形成装置１００の状態を示したり、画像形成状況や印刷部数を表示したり、タッチパネルとして、両面印刷や白黒反転等の機能や倍率設定、濃度設定など各種設定を行えるようになっている。操作ボタン１１２は、印刷枚数等の数値を入力するためのテンキー、設定情報を初期化させる指示を入力するためのリセットキー、複写動作を停止させるためのストップキー、画像形成動作を開始させる出力指示を入力するためのスタートキー等の各種操作キーを備えている。
【００１２】
記憶部１２は、半導体メモリーやＨＤＤ（Hard Disk Drive）等の記憶手段であり、原稿読取部１３によって読み取られた画像データや、通信部１６を介して受信された画像データが蓄積される記憶手段である。また、記憶部１２には、画面を非表示に設定するか否かの画面非表示設定を格納した画面非表示設定テーブル１２１が記憶されている。
【００１３】
例えば、図３は、画面の非表示設定を行う画面非表示設定画面８１の一例である。ユーザーは、画面一覧の中で表示が不要な画面について、画面を表示しないように設定することができる。図３では、コピー機能の設定を行うコピー設定画面、コピーの進捗状況を表示するコピー進捗画面、及びＦＡＸ送信の進捗状況を表示するＦＡＸ進捗画面の非表示設定がＯＮになっており、ＦＡＸ機能の設定を行うＦＡＸ設定画面の非表示設定がＯＦＦになっている。非表示設定がＯＮに設定された画面については画面表示されず、非表示設定がＯＦＦに設定された画面については画面表示される。画面非表示設定は、ユーザー毎に設定することができる。
【００１４】
原稿読取部１３は、図示しない原稿給紙装置により給紙されてきた原稿や、ユーザーによってプラテンガラスに載置された原稿に対して光を照射し、その反射光等を受光して原稿画像を読み取って画像データを出力するスキャナーである。
【００１５】
画像処理部１４は、画像データに対して画像処理を行う手段である。画像処理部１４では、例えば、拡大縮小処理や、濃度調整、階調調整等の画像改善処理が行われる。
【００１６】
印刷部１５は、画像データを印刷する印刷手段である。印刷部１５は、例えば、記憶部１２から読み出した画像データに基づき感光体ドラムの表面に潜像を形成し、トナーによってその潜像をトナー像とする画像形成を行い、図示しない給紙部から搬送されてきた記録紙に感光体ドラムのトナー像を転写させ、そのトナー像を記録紙に定着させて排紙する。
【００１７】
通信部１６は、ＬＡＮ（Local Area Network）等のネットワークを介して、外部端末と各種データを送受信する機能を有する。
【００１８】
ファクシミリ部１７は、モデムを有し、原稿読取部１３によって読み取られた画像データからファクシミリ信号を生成し、生成したファクシミリ信号を電話回線網等のネットワークを介して送信するファクシミリ送信機能を有している。また、ファクシミリ部１７は、電話回線網を介してファクシミリ信号を受信し、受信したファクシミリ信号から画像データを生成するファクシミリ受信機能を有している。なお、ファクシミリ受信機能により受信生成された画像データは、記憶部１２に記憶されたり、印刷部１５によって記録紙に印刷されたりする。
【００１９】
制御部１８は、操作パネル１１、記憶部１２、原稿読取部１３、画像処理部１４、印刷部１５、通信部１６及びファクシミリ部１７にそれぞれ接続され、操作パネル１１から入力された指示情報に応じて画像形成装置１００全体の動作制御を実行する。制御部１８は、ＲＯＭ（Read Only Memory）、ＲＡＭ（Random Access Memory）等を備えたマイクロコンピュータ等の情報処理部である。ＲＯＭには画像形成装置１００の動作制御を行うための制御プログラムが記憶されている。制御プログラムには、本実施形態のタッチパネル１１１における画面の表示制御を実行するための表示制御プログラムが含まれている。制御部１８は、ＲＯＭに記憶されている制御プログラムを読み出し、制御プログラムをＲＡＭに展開させることで、操作パネル１１から入力された指示情報に応じて装置全体の制御を行う。なお、制御プログラムは、不図示のネットワーク又は不図示のコンピューター読取可能な記録媒体を介してＲＯＭに記憶されてもよい。
【００２０】
次に、図４を参照して、制御部１８の表示制御処理の流れを説明する。なお、ここでは、ユーザーがコピー機能を使用する場合を例に説明し、ユーザーがログインすると、コピー機能の設定を行う設定画面がデフォルトで表示されるものとする。
【００２１】
制御部１８は、ユーザーがログインするまで待機しており（ステップｓ１１）、ログインされていなければ（ステップｓ１１でＮｏ）、ステップｓ１１に処理を戻す。ユーザーは、例えば表示部１１１に表示される認証画面を介して画像形成装置１００にログインすることができる。ユーザーがログインすると（ステップｓ１１でＹｅｓ）、制御部１８は、画面非表示設定テーブル１２１を参照して、ログインユーザーの画面非表示設定を取得する（ステップｓ１２）。つづいて、制御部１８は、コピー設定を行う設定画面の画面非表示設定が非表示に設定されているか判定し（ステップｓ１３）、非表示に設定されている場合（ステップｓ１３でＹｅｓ）、表示部１１１を制御して設定画面を表示させないで（ステップｓ１４）、ステップｓ１６に処理を進める。設定画面の画面非表示設定が非表示に設定されていない場合（ステップｓ１３でＮｏ）、制御部１８は、表示部１１１を制御して設定画面を表示させて（ステップｓ１５）、ステップｓ１６に処理を進める。なお、設定画面を表示させた場合には、ユーザーがコピー設定をデフォルト設定から好みの設定に変更することができ、設定画面を表示させなかった場合には、コピー設定はデフォルト設定となる。
【００２２】
つづいて、制御部１８は、画像形成動作の開始を指示するスタートキー（操作ボタン１１２）が押されたか判定する（ステップｓ１６）。スタートキーが押されていない場合は（ステップｓ１６でＮｏ）、ステップｓ１６に処理が戻る。スタートキーが押されると（ステップｓ１６でＹｅｓ）、制御部１８は、コピー設定に基づいて画像形成を開始するとともに（ステップｓ１７）、コピー状況を表示する進捗画面の画面非表示設定が非表示に設定されているか判定する（ステップｓ１８）。進捗画面の画面非表示設定が非表示に設定されている場合（ステップｓ１８でＹｅｓ）、制御部１８は、表示部１１１を制御して進捗画面を表示させないで（ステップｓ１９）、本処理を終了する。この場合、画面非表示設定で設定画面も非表示に設定されていた場合、ユーザーがログインした直後から画像形成動作が終了するまで画面表示は行われない。一方、進捗画面の画面非表示設定が非表示に設定されていない場合（ステップｓ１８でＮｏ）、制御部１８は、表示部１１１を制御して進捗画面を表示させて（ステップｓ２０）、本処理を終了する。なお、進捗画面を表示させた場合には、進捗画面には画像形成処理の状況が表示される。
【００２３】
このように、本実施形態によれば、ユーザー毎に表示不要な画面を非表示にする画面非表示設定を行うことができ、ユーザーがログインした際に、ログインユーザーの画面非表示設定に従って画面の表示非表示を行う。そのため、画像形成装置１００がユーザーの操作に従って動作する際に、ユーザー毎に表示不要な画面を非表示にできるため、省エネモードではなく動作中であっても消費電力を削減することができる。
【００２４】
本発明は上述した実施の形態に限定されるものではなく、本発明の趣旨を逸脱しない範囲で種々様々に変更が可能であることは言うまでもない。
【００２５】
例えば、上記では、コピー機能を使用する際の画面非表示設定について説明したが、これに限定されず、例えば、ファクシミリ機能やスキャン機能を使用する際についても同様に適用できる。さらに、画像形成装置以外の電子機器において、電子機器の機能を使用する際についても同様に適用できる。
また、表示部１１１は、画面非表示設定に基づいて画面を表示していない場合に、表示面がタッチされると、非表示にしていた画面を表示するようにしてもよい。これによれば、ユーザーが設定変更や進捗状況の確認をしたい場合に対応できる。このとき、表示部１１１は、機能の設定画面に対応する設定に基づいて動作が開始されると、前記設定画面を非表示してもよい。これによれば、ユーザーによる設定変更が完了すれば、画面を非表示にすることができる。なお、機能の設定画面に対応する設定に基づかない動作が開始されても、画面を表示したままにしておいても良い。例えば、ユーザーが設定画面でコピー設定を変更しているときに、ファクシミリ信号を受信して印刷が開始されても、画面を表示したままにしておいても良い。
また、設定画面が非表示に設定されていた場合で、デフォルト設定で原稿の連続読み込みが設定されていた場合には、表示部１１１は、各原稿の読み取り完了毎に設定画面を表示して、次の原稿の読み取り動作が開始されると、設定画面を非表示にするようにして、ユーザーが途中で設定を変えられるようにしてもよい。
【符号の説明】
【００２６】
１１  操作パネル
１２  記憶部
１３  原稿読取部
１４  画像処理部
１５  印刷部
１６  通信部
１７  ファクシミリ部
１８  制御部
８１  画面非表示設定画面
１００  画像形成装置
１１１  表示部
１１２  操作ボタン
１２１  画面非表示設定テーブル
【図１】
2015191242.tif 000003
【図２】
2015191242.tif 000004
【図３】
2015191242.tif 000005
【図４】
2015191242.tif 000006